(57)【要約】【課題】扉の開閉時における冷蔵庫室内の冷気の流出を最小限に留め、使い勝手の良い冷蔵庫の提供を図る。【解決手段】スライド延長機構と、スライド回動機構と、を備える縦型扉スライド式冷蔵庫であって、スライド延長機構は、冷蔵庫本体内の縦型扉スライドストッカーが設けられる天井壁と、中間隔離壁と、に設けると共に、スライド回動機構は、縦型扉スライドストッカーの上下面に設けて成り、縦型扉スライドストッカーが、スライド延長機構によって最大限に引き出された位置で、縦型扉スライドストッカーの上下面の奥部に設けられた回動機構付スライドローラーによって水平に回動して開閉する手段を採る。【選択図】図１
2009257758.tif 000002
【特許請求の範囲】
【請求項１】
スライド延長機構と、スライド回動機構と、を備える縦型扉スライド式冷蔵庫であって、
前記スライド延長機構は、冷蔵庫本体内の縦型扉スライドストッカーが設けられる天井壁と、中間隔離壁と、に設けると共に、前記スライド回動機構は、前記縦型扉スライドストッカーの上下面に設けて成り、前記縦型扉スライドストッカーが、前記スライド延長機構によって最大限に引き出された位置で、前記縦型扉スライドストッカーの上下面の奥部に設けられた回動機構付スライドローラーによって水平に回動して開閉することを特徴とする縦型扉スライド式冷蔵庫。
【請求項２】
前記スライド延長機構は、固定ガイドレールと、スライド移動レールと、スライドローラーと、で構成されるものであって、前記固定ガイドレールは、コ型構造材の両側に取付フランジ部を有してスライドガイド面にガイド長穴を設けて成り、前記スライド移動レールは、四角中空構造材のスライドガイド面には、一端が開放されたガイド長穴を形成し、他方面には、複数のスライドローラーを突設して成り、両側面には、任意の間隔をあけてラチェットストッパーとストッパーピンを設けたことを特徴とする請求項１記載の縦型扉スライド式冷蔵庫。
【請求項３】
前記スライド回動機構は、前記縦型扉スライドストッカーの上面と下面の奥側に設けられるスライドローラーの枢軸部に軸受け部品を設けて成る回動機構付スライドローラーと、スライド移動レールのガイド長穴に沿ってスライドするスライドローラーと、で形成されたことを特徴とする請求項１記載の縦型扉スライド式冷蔵庫。
【請求項４】
前記縦型扉スライドストッカーの背面壁に、冷気流入口と、冷気排出口と、を設けたことを特徴とする請求項１から請求項３記載の縦型扉スライド式冷蔵庫。
【請求項５】
冷蔵庫本体の内側側壁に、冷蔵庫本体から吹き出される冷気吹き出し口と、冷気排出口と、を設けたことを特徴とする請求項１から請求項３記載の縦型扉スライド式冷蔵庫。
【発明の詳細な説明】
【技術分野】
【０００１】
本発明は、扉の開閉時における冷蔵庫室内の冷気の流出を最小限に留め、消費電力を抑制する縦型扉スライド式の冷蔵庫に関する。
【背景技術】
【０００２】
従来の片側扉ならびに観音扉開閉式の冷蔵庫は、日常的に使用される扉の開閉頻度に対して、冷蔵庫室内の冷気を遮断する機能的な手段を備えていなかった。その要因としては、扉の開閉毎に冷蔵庫内の冷気が冷蔵庫外に大量に排出されてしまうため、それを補う冷却装置を冷蔵庫本体内に装備するには、本来の冷蔵庫の冷却装置に匹敵する設置スペースや大量の消費電力が必要とされる他、冷蔵庫自体がコスト高になる問題点があった。
【０００３】
上記の問題を解決しようと、冷蔵庫のドアの開閉時における冷蔵庫室内の冷気の流出を防ぐことを目的として、冷蔵室の前面取り出し口にエアーカーテン送風装置を設けた「冷蔵庫」（特許文献１参照）の技術が提案されている。
【０００４】
しかしながら、上記の公知技術は、従来の冷蔵庫本体にエアーカーテン送風装置を単に追加したもので、新たに冷蔵庫本体の製造コストならびにエアーカーテン送風装置の消費電力コストが掛かるもので、冷気の遮断効果に見合う製造メーカーならびに消費者メリットがある手段とは言えなかった。
【０００５】
また、冷蔵庫のドアの開閉時における冷蔵庫室内の冷気の流出を防ぐことを目的として、冷蔵室扉内に食品を収納する役目の扉と、密封する役目の扉とする二重扉構造とした「冷蔵庫」（特許文献２参照）の技術が提案されている。
【０００６】
しかしながら、上記の公知技術は、従来の冷蔵室扉を単に二重扉構造にしたものに過ぎず、二重扉の奥に収納されている冷蔵室の食品を取り出すには、密封する役目の扉を再び開閉しなければならず、その取り付け効果に見合った使い勝手の良さや、電気消費量の改善が図られるものではなかった。
【先行技術文献】
【特許文献】
【０００７】
【特許文献１】特許公開２００５-７６９８１号公報
【特許文献２】特許公開２００６-３８４３７号公報
【発明の概要】
【発明が解決しようとする課題】
【０００８】
本発明は、上記問題点を鑑み、扉の開閉時における冷蔵庫室内の冷気の流出を縦型扉スライドストッカーによって最小限に留め、さらに使い勝手の良い冷蔵庫の提供を図るものである。
【課題を解決するための手段】
【０００９】
スライド延長機構と、スライド回動機構と、を備える縦型扉スライド式冷蔵庫であって、スライド延長機構は、冷蔵庫本体内の縦型扉スライドストッカーが設けられる天井壁と、中間隔離壁と、に設けると共に、スライド回動機構は、縦型扉スライドストッカーの上下面に設けて成り、縦型扉スライドストッカーが、スライド延長機構によって最大限に引き出された位置で、縦型扉スライドストッカーの上下面の奥部に設けられた回動機構付スライドローラーによって水平に回動して開閉する手段を採るものである。
【００１０】
また、本発明によるスライド延長機構は、固定ガイドレールとスライド移動レールとスライドローラーとで構成されるものであって、固定ガイドレールは、コ型構造材の両側には、取付フランジ部を有してスライドガイド面にガイド長穴を設けて成り、スライド移動レールは、四角中空構造材のスライドガイド面には、一端が開放されたガイド長穴を形成し、他方面には、複数のスライドローラーを突設し、両側面には、任意の間隔をあけてラチェットストッパーとストッパーピンを設けた手段を採るものである。
【００１１】
また、本発明によるスライド回動機構は、縦型扉スライドストッカーの上面と下面の奥側に設けられるスライドローラーの枢軸部にベアリング等の軸受け部品を設けて成る回動機構付スライドローラーと、スライド移動レールのガイド長穴に沿ってスライドするスライドローラーで形成された手段を採るものである。
【００１２】
また、本発明は、縦型扉スライドストッカーの背面壁に、冷気流入口と、冷気排出口を設けた手段を採るものである。
【００１３】
また、本発明は、冷蔵庫本体の内側壁に、冷蔵庫本体から吹き出される冷気吹き出し口と、冷気排出口を設けた手段を採るものである。
【発明の効果】
【００１４】
本発明によれば、縦型扉スライドストッカーを冷蔵庫本体外に引き出すスライド延長機構を冷蔵庫本体内の天井壁と中間隔離壁に設けると共に、該引き出された最大位置で回動機構付スライドローラーを支点として扇状に回動するスライド回動機構を縦型扉スライドストッカーに設けた手段を採ることによって、冷蔵庫内に保存されている食品を取り出す際に最小限の容積空間をもって取り出すことができるため、冷蔵庫内の冷気の流出を阻止することができると共に、電気消費量の節約を始めとする省エネ効果が実現され、また、エアーカーテンや二重扉を備える冷蔵庫と比較して、取り出す手間や製造コストを抑制することができるものである。
【００１５】
また、固定ガイドレールとスライド移動レールとスライドローラーで構成されるスライド延長機構を設けることによって、縦型扉スライドストッカーが、冷蔵庫本体から完全に引き出すことができる構造により、縦型扉スライドストッカーの収納棚の奥の方に保存されている食品を容易に探し出して取り出すことができるものである。
【００１６】
また、縦型扉スライドストッカーの上面と下面の奥側に設けられる回動機構付スライドローラーの枢軸部にベアリング等の軸受け部品を設けて回動可能とするスライド回動機構を備えることによって、保存されている食品を容易に探し出して取り出すことができると共に、スライド回動機構によって縦型扉スライドストッカーを扇状に回動させることで、縦型扉スライドストッカーの裏側に保存されている食品もその場で立っている状態で、容易に探し出して取り出すことができるものである。
【００１７】
また、縦型扉スライドストッカーに背面壁を設けることによって、縦型扉スライドストッカーが引き出された際に、必然的に冷蔵室の開口部が塞がれる構造となるため、特別に冷蔵庫内の冷気を外部に流出させない装置や構造を備える必要がないものである。
【００１８】
また、冷蔵庫本体の側面（左右）内側壁（図示なし）に、冷蔵庫本体から吹き出される冷気吹き出し口と、冷気排出口を設けた手段を採ることによって、各縦型扉スライドストッカーの収納棚を横断する形で冷気が循環する構造となるため、縦型扉スライドストッカーの背面壁を必要としない構造となり、冷蔵室内の冷気効率がさらに高まると共に、本発明の縦型扉スライド式冷蔵庫の製造コストの低廉が図れるものである。
【００１９】
以上のように、本発明における縦型扉スライド式冷蔵庫は、従来の片側扉開閉式ならびに観音扉開閉式の冷蔵庫と比較して多くの優れた利点を持つものである。
【図面の簡単な説明】
【００２０】
【図１】図１は、本発明における縦型扉スライド式冷蔵庫の全体を示す説明図である。（実施例１）
【図２】図２は、本発明における縦型扉スライドストッカーの構成内容を示す分解斜視図である。（実施例２）
【図３】図３は、本発明における縦型扉スライドストッカーの使用状態を示す外観説明図である。（実施例３）
【図４】図４は、本発明における縦型扉スライドストッカーの使用状態を示す断面説図ある。（実施例４）
【発明を実施するための形態】
【００２１】
本発明は、縦型扉スライドストッカーを冷蔵庫本体外に引き出すスライド延長機構を冷蔵庫本体内の天井壁と中間隔離壁に設けると共に、該引き出された最大位置で回動機構付スライドローラーを支点として扇状に回動して開閉するスライド回動機構を縦型扉スライドストッカーに設けたことを最大の特徴とするもので、以下、実施例を図面をもとに説明する。
【実施例１】
【００２２】
図１は、本発明における縦型扉スライド式冷蔵庫の全体を示す説明図である。
図（a）は、縦型扉スライドストッカーを引き出した状態を示す斜視図である。
縦型扉スライド式冷蔵庫１０は、中間隔離壁５１の上方には、縦型扉スライドストッカー
１１が四基備えられ、その内の１基がチルド室ストッカー５８で、その他の三基が冷蔵室
ストッカー５６を構成する。中間隔離壁５１の下方には、横型のスライドストッカーが二
段式に備えられ、上段が冷凍室ならびに製氷室ストッカー５７で、下段は野菜室ストッ
カー５５で構成される。
【００２３】
使用時には、縦型扉スライドストッカー１１の取っ手を持って引き出すと、縦型扉スラ
イドストッカー１１内に収納されている食品の片面全体が見渡される状態になり、必要とする食品を容易に探し出して取り出すことができるものである。
【００２４】
図（ｂ）は、縦型扉スライドストッカーを回動させた状態を示す斜視図である。
縦型扉スライドストッカー１１を引き出し、引き出された最大位置で回動機構付スライドローラー２３を支点として扇状に回動させることによって、縦型扉スライドストッカー１１の裏側全体が見渡される状態で回動され、必要とする食品をその場で立っている状態で、容易に探し出して取り出すことができるものである。
【実施例２】
【００２５】
図２は、本発明における縦型扉ストッカーの構成内容を示す分解斜視図である。
縦型扉スライドストッカー１１は、内部には食品を保存する収納棚１３を数段備えると共に、上面と下面の奥側に設けられる回動機構付スライドローラー２３と、幅寸法を小とするスライドローラー２4で形成したスライド機構２２によって、スライド移動レール４１のスライドガイド面４３に設けられたガイド長穴４２に沿ってスライド移動する。
【００２６】
縦型扉スライドストッカー１１の背面壁１２には、冷蔵庫本体の冷気吹き出し口と冷気排出口の位置に合わせて、冷気流入口１４と、冷気排出口１５が設けられて、縦型扉スライドストッカー１１が収納されて後退した際に、同位置に重なり合うことにより、冷気の流通路を確保する役目を果たすものである。
【００２７】
背面壁１２は、縦型扉スライドストッカー１１が引き出された状態で冷蔵庫本体の冷蔵庫室内と冷蔵庫室外の外気との遮断を目的として設けられるもので、背面部を全体的に覆う構造で設けられるものである。
【００２８】
スライド回動機構２１は、縦型扉スライドストッカー１１の上面と下面の奥側に設けられるスライドローラーの枢軸部にベアリング等の軸受け部品を設けて成る回動機構付スライドローラー２３で構成され、縦型扉スライドストッカー１１を最大限引き出された限定位置で回動機構付スライドローラー２３を支点として扇状に回動する構造を有する。
【００２９】
回動機構付スライドローラー２３は、スライドローラー２４と比較して幅寸法が大きく形成されており、スライド移動レール４１のガイド長穴４２に沿ってスライド移動しながら、スライド移動レール４１の両側面に設けられるラチェットストッパー４６とストッパーピン４７と任意の位置で当接して作動するものである。
【００３０】
スライドローラー２４は、回動機構付スライドローラー２３と比較して幅寸法が小さく形成されており、スライド移動レール４１の両側面に設けられるラチェットストッパー４６とストッパーピン４７とは、常に無接触の状態で通過されるもので、スライド移動レール４１のガイド長穴３２に沿って冷蔵庫本体内外を前後にスライド移動するものであり、主に、縦型扉スライドストッカー１１の安定とガイド的機能を果たすものである。
【００３１】
スライド延長機構３０は、固定ガイドレール３１とスライド移動レール４１とスライドローラー４５で構成される二段延長レールで、冷蔵庫本体の天井壁５０と中間隔離壁５１との間の縦型扉スライドストッカー１１が位置する箇所に設けられる。
【００３２】
固定ガイドレール３１は、両側に取付フランジ部を有したコ型構造材のスライドガイド面３３にガイド長穴３２を設けて構成され、冷蔵庫本体内の冷蔵室ストッカー５６の内側壁の天井壁５０と中間隔離壁５１との間に設けられる。
【００３３】
スライド移動レール４１は、四角中空構造材型のスライドガイド面４３に一端が開放されたガイド長穴４２を形成し、他方面に複数のスライドローラー４５を突設して成り、両側面には、任意の間隔をあけてラチェットストッパー４６とストッパーピン４７を設けた構造を有する。
【００３４】
スライドローラー４５は、スライド移動レール４１に設けられ、縦型扉スライドストッカー１１の安定とガイド的機能を持って設けられるもので、固定ガイドレール３１のスライドガイド面３３に設けられるガイド長穴３２に沿って冷蔵庫本体内を前後にスライド移動するものである。
【００３５】
ラチェットストッパー４６は、スプリングと鋼球で構成されるラチェットビスで、スライド移動レール４１の両側面に回動機構付スライドローラー２３を一旦係止する構造で取り付けられる。
【００３６】
ストッパーピン４７は、ストレートのノックピンで、スライド移動レール４１の両側面に回動機構付スライドローラー２３を当接させて停止する構造で取り付けられる。
【実施例３】
【００３７】
図３は、本発明における縦型扉スライドストッカーの使用状態を示す外観説明図である。
（a）基本構成は、中間隔離壁５１の上方には、縦型扉スライドストッカー１１が四基備えられ、その内の１基がチルド室ストッカー５８で、その他の三基が冷蔵室ストッカー５６を構成する。中間隔離壁５１の下方には、横型のスライドストッカーが二段式に備えられ、上段が冷凍室ならびに製氷室ストッカー５７で、下段は野菜室ストッカー５５で構成される。
【００３８】
（b）使用時に、中間隔離壁５１の上方の縦型のスライドストッカー１１の取っ手を持って引き出すことができる。
【００３９】
（c）続いて、ラチェットストッパー４６が作動する位置まで縦型扉スライドストッカー１１を引き出すと、縦型扉スライドストッカー１１内に収納されている食品の片面全体が見渡せる状態になり、必要とする食品を容易に探し出して取り出すことができる。
【００４０】
（d）さらにストッパーピン４７が作用される位置まで引き出し、縦型扉スライドストッカー１１を引き出された最大位置で回動機構付スライドローラー２３を支点として扇状に回動させることによって、裏側全体が見渡せる状態で回動され、必要とする食品をその場で立っている状態で、容易に探し出して取り出すことができる。
【００４１】
以上のように、任意の縦型扉スライドストッカー１１を引き出すことで冷蔵庫室内５４に保存されている食品を取り出す際に最小限の容積空間をもって取り出すことができるため、電気代の節約がなされると共に、縦型扉スライドストッカー１１の収納棚１３の奥の方に保存されている食品を容易に探し出して取り出すことができる構造を有するものである。
【実施例４】
【００４２】
図４は、本発明における縦型扉スライドストッカーの使用状態を示す断面説明図である。
（a）日常の冷蔵庫の使用状態を示す。
通常、縦型扉スライドストッカー１１とスライド延長機構３０は、図で示すように冷蔵庫の奥方向に位置している。
【００４３】
（b）収納されている食品を取り出すため、縦型扉スライドストッカー１１を手前（矢印方向）に引き出す状態を示す。
縦型扉スライドストッカー１１の回動機構付スライドローラー２３がスライド移動レー
ル４１のラチェットストッパー４６に当接し、縦型扉スライドストッカー１１の移動と
共にスライド移動レール４１が前方に移動する状態を示す。その際、スライドローラー
２４は、回動機構付スライドローラー２３と比べて幅寸法が小であるためラチェットス
トッパー４６ならびにストパーピン４７に接触しない状態で通過する。
【００４４】
（c）縦型扉スライドストッカー１１の引き出しが完了した状態を示す。
スライド移動レール４１のスライドローラー４５が固定ガイドレール３１のガイド長穴３
２一杯まで移動し、さらに冷蔵庫の冷気が縦型扉スライドストッカー１１の背面壁１２に
阻まれて外部に流出しない状態で停止することで、縦型扉スライドストッカー１１に収納
されている食品を容易に探し出して取り出すことができるものである。
【００４５】
（d）さらに縦型扉スライドストッカー１１を引き出した回動状態を示す。
縦型扉スライドストッカー１１をさらに引き出すと、回動機構付スライドローラー２３が
スライド移動レール４１のラチェットストッパー４６から外れ、さらに引き出すと、スト
ッパーピン４７位置まで引き出されて停止する。（その際、スライドローラー２４は、ス
ライド移動レール４１からはみ出して外れた状態になる。）引き出された最大位置の縦型
扉スライドストッカー１１は、回動機構付スライドローラー２３を支点として扇状に回動
して縦型扉スライドストッカー１１に収納されている裏側の食品をその場で立っている状
態で、容易に探し出して取り出すことができるものである。
【産業上の利用可能性】
【００４６】
本発明における縦型扉スライド式冷蔵庫に備えられるスライド回動機構ならびにスライド延長機構は、冷蔵庫の収納物の取り出し手段に限定されることなく、書庫や物品の収納庫の引き出し、密封手段として広く利用することができるもので、その利用効果は多大なものがあるものと推考される。
【符号の説明】
【００４７】
１０    縦型扉スライド式冷蔵庫
１１    縦型扉スライドストッカー
１２    背面壁
１３    収納棚
１４    冷気流入口
１５    冷気排出口
２１    スライド回動機構
２２    スライド機構
２３    回動機構付スライドローラー
２４    スライドローラー
３０    スライド延長機構
３１    固定ガイドレール
３２    ガイド長穴
３３    スライドガイド面
４１    スライド移動レール
４２    ガイド長穴
４３    スライドガイド面
４４    側面
４５    スライドローラー
４６    ラチェットストッパー
４７    ストッパーピン
５０    天井壁
５１    中間隔離壁
５２    冷気流入口
５３    冷気排出口
５４    冷蔵庫室内
５５    野菜室ストッカー
５６    冷蔵室ストッカー
５７    冷凍室ならびに製氷室ストッカー
５８    チルド室ストッカー
Ｒ    冷気
Ｇ    外気
【図１】
2009257758.tif 000003
【図２】
2009257758.tif 000004
【図３】
2009257758.tif 000005
【図４】
2009257758.tif 000006